(57)【要約】      （修正有）【課題】パチンコ台の傾斜を正確に測定できるパチンコ台の傾斜測定器を提供する。【解決手段】台座１と支柱２で構成された支持台の上部から回転自在に測定振子３を吊り下げ、マイクロメーターヘッド５が取り付けられたスライドブロック６をノブボルト７で左右に移動自在になるように台座１に取り付け、穴９が開けられ、その前後に目印２１、２２を設けた照準ブロック８を測定振子３の下部に取り付け、吊り下げ糸１０を穴９に通し錘１１をぶら下げ、マイクロメーターヘッド５の先端が当接する測定振子３の箇所に磁石１２を取り付け、測定振子３の軸受け穴１５の中心と磁石１２の中心の距離をパチンコ台の高さ以下に設定し、マイクロメーターヘッド５の先端３８が当接する上部突出部が設けられたアダプターを取り付け可能とする。【選択図】図１
2015139693.tif 000002
【特許請求の範囲】
【請求項１】
台座（１）と支柱（２）で構成された支持台の上部から回転自在に測定振子（３）吊り下げ、マイクロメーターヘッド（５）が取り付けられたスライドブロック（６）をノブボルト（７）で左右に移動自在になるように台座（１）に取り付けたパチンコ台用測定器具の検査装置。
【請求項２】
穴（９）が開けられ、その前後に目印（２１）（２２）を設けた照準ブロック（８）を測定振子（３）の下部に取り付け、吊り下げ糸（１０）を穴（９）に通し錘（１１）をぶら下げた請求項１のパチンコ台用測定器具の検査装置。
【請求項３】
マイクロメーターヘッド（５）の先端（３８）が当接する測定振子（３）の箇所に磁石（１２）を取り付けた請求項１のパチンコ台用測定器具の検査装置。
【請求項４】
測定振子（３）の軸受け穴（１５）の中心と磁石（１２）の中心の距離をパチンコ台の高さより短く設定した請求項１のパチンコ台用測定器具の検査装置。
【請求項４】
マイクロメーターヘッド（５）の先端（３８）が当接する上部突出部（２７）が設けられたアダプター（１３）が取り付け可能にした請求項１のパチンコ台用測定器具の検査装置。
【発明の詳細な説明】
【技術分野】
【０００１】  本発明はパチンコ台の傾斜の測定器や釘の隙間を測るゲージの精度を検査する装置に関するものである。
【背景技術】
【０００２】  パチンコ台の傾斜は出玉を左右する重要な要素で、その傾斜を測定する器具として図７に示す棒状の筒に気泡管を埋め込んだ傾斜測定器がある。この傾斜測定器は、落下や衝突など振動を受けると埋め込まれた気泡管がずれて狂うのが常で、現場で正常なのか狂っているのかを検査することが出来なかった。【０００３】  また、パチンコ台の釘の隙間も出玉を左右する重要な要素で、その隙間を計るために図８で示す板ゲージや図９で示す玉ゲージがある。この釘の隙間を１／１００ミリの精度で測定する隙間ゲージは頻繁に使用することで測定部は磨耗し寸法が変わり狂ってしまう。これを測定するにはマイクロメーターがあるが、マイクロメーターを手に持ち被測定物を手に持ってダイヤルを回して測定するので正確な測定は非常に難い。万力にマイクロメーターを挟んで測定すればよいが、事務所の机に万力など取り付けることは抵抗がある。
【発明の概要】
【発明が解決しようとする課題】
【０００４】  本発明は、これら測定器やゲージを専門技術者でないパチンコ店の従業員が簡単に検査できる装置の提供を課題とする。
【課題を解決する手段】
【０００５】  台座（１）と支柱（２）で構成された支持台の上部から回転自在に吊り下げ、マイクロメーターヘッド（５）が取り付けられたスライドブロック（６）をノブボルト（７）で左右に移動自在になるように台座（１）に取り付ける。
【０００６】  更に、穴（９）が開けられ、その前後に目印（２１）（２２）を設けた照準ブロック（８）を測定振子（３）の下部に取り付け、吊り下げ糸（１０）を穴（９）に通し錘（１１）をぶら下げる。
【００７】  また、マイクロメーターヘッド（５）の先端（３８）が当接する測定振子（３）の箇所に磁石（１２）を取り付ける。
【０００８】  測定振子（３）の軸受け穴（１５）の中心と磁石（１２）の中心の距離を少なくともパチンコ台の高さより短く設定する。
【０００９】  更に、マイクロメーターヘッド（５）の先端（３８）が当接する上部突出部（２７）を設けたアダプター（１３）を台座に取り付ける。
本発明は、以上の構成よりなるパチンコ台用測定器具の検査装置である。
【発明の効果】
【００１０】（イ）測定振子に傾斜測定器を取り付け、錘を利用して測定振子の垂直を設定し、マイクロメーターヘッドを決まった各傾斜の数字に合わせることで、測定振子が傾き、傾斜測定器の気泡管の各傾斜が合っているかを正確に検査することができる。
（ロ）測定振子の垂直の設定において、ノブボルトを回して錘の吊り下げ糸が照準ブロックの前後の目印と一直線に並ぶと測定振子は垂直をなしている状態になる。いわば拳銃の照準と同じで合わせ方なので非常に簡単で正確である。
（ハ）磁石により測定振子とマイクロメーターヘッドの先端が常に当接した状態を保てるので、測定振子が動かず１／１００ミリの精度を要求する気泡管の傾斜を正確に簡単に検査することができし、磁力による接触なので機構的に簡単な仕組みで機械的な不可がかからない。
（ニ）測定振子の回転の中心とマイクロメーターヘッドが当接する磁石の中心の距離がパチンコ台の高さより短く設定すれば装置が小型化、軽量化され取り扱いが楽である。
（ホ）隙間ゲージの測定は、アダプターが台座に取り付いた据置型で行えるので、左手で隙間ゲージを持って右手でマイクロメーターヘッドを回して行えるので非常に検査が楽に行える。
【図面の簡単な説明】
【００１１】
【図１】  本発明の斜視図である。
【図２】  本発明のアダプターの斜視図である。
【図３】  本発明のアダプターを装置に取り付けた斜視図である。
【図４】  本発明のスライドブロックの斜視図である。
【図５】  本発明の磁石の取り付け方を示す断面図である。
【図６】  本発明の照準ブロックの目印と吊り下げ糸の関係を示す平面図である。
【図７】  パチンコ台の傾斜を測定する傾斜測定器の図である。
【図８】  パチンコ台の釘の隙間を測る板ゲージである。
【図９】  パチンコ台の釘の隙間を測る玉ゲージである。
【図１０】  パチンコ台の傾斜の表し方を示す側面図である。
【発明を実施するための形態】
【００１２】  以下、本発明を実施するための形態について説明する。
上下が平面で構成された台座（１）に上部前方に張り出すように軸（１４）を設けた支柱（２）を立て、端部に軸受け穴（１５）を設けた棒状の測定振子（３）を回転自在に軸（１４）に吊り下げる。
スライドブロック（６）に上部突起部（４３）を設け、穴（３１）を開けマイクロメーターヘッド（５）を取り付け、底部前後にフランジ（３２）を設ける。
台座（１）に少なくともスライドブロックが左右に１０ミリ以上横移動できるように横長に溝（４）を作り、前方に圧縮コイルバネ（１７）を取り付け、スライドブロック（６）を挿入し、押さえ板（１６）でフランジ（３２）を横移動が自在に固定し、台座（１）の側面からネジ穴（３３）を切りノブボルト（７）を取り付ける。
マイクロメーターヘッドはアナログの目盛り読み形式とデジタル表示形式があるが、そのどちらも使用可能である。
【００１３】  測定振子（３）の上部に先端中央に縦溝（２０）を掘った吊り上げブロック（１８）を取り付け、背面にピン（１９）を設ける。ピン（１９）に吊り下げ糸（１０）を結び、吊り下げブロック（１８）の縦溝（２０）を通り下に垂らす。穴（９）が開けられ、前側に目印（２１）、後側に目印（２２）を設けた上下が平面をなす照準ブロック（８）を測定振子（３）の下部に取り付け、吊り下げ糸（１０）を穴（９）に通し台座（１）に接触しないように錘（１１）を取り付ける。
【００１４】  また、実施形態の例として測定振子（３）の軸受け穴（１５）の中心と磁石（１２）の中心の距離をパチンコ台（４４）の高さの半分の４０５ミリとする。
傾斜は、図１０で示すようにパチンコ台（４４）が奥にどれくらい倒れているかの距離Ａで表わし、その距離の単位は尺貫法の分で表す。例えばパチンコ台（４４）の標準傾斜の３．５分を距離で表すと１分は３．０３ミリなので１０．６０５ミリになる。ここで実施形態での４０５ミリに設定すれば倒れの距離は１０．６０５ミリの半分の約５．３０ミリで同じ傾斜の状態を作ることができる。
【００１５】  目印（２１）（２２）は色々な手法が考えられるが、ここでは平行線を利用した方法を実施する。吊り下げ糸（１０）のほぼ同じ幅で隙間を開けた平行な２本線を前側の目印（２１）とし、背面の目印（２２）は吊り下げ糸（１０）より少し幅を広く開けた平行な２本線とする。
【００１６】  図５が示すように、取り付ける磁石（１２）は球状とし、測定振子（３）のマイクロメーターヘッド（５）の先端（３８）が当接する位置に磁石（１２）の径より少し小さい穴（３４）を開け、対面から少し大きめのネジ穴（３５）を切り、磁石（１２）を挿入し先端が少し出っ張るように六角穴付き止めネジ（３６）で固定する。
【００１７】  測定振子（３）には、傾斜測定器を取り付ける側に穴を開け、ピン（２３）を抜き差し自在に取り付け、傾斜測定器を前後で挟むようにガード（２４）を取り付ける。対面側の側面にピン（２５）を取り付け、片方に折り返し（４５）を作り反対の片方にリング（３７）が取り付けられた伸縮自在の固定バンド（２６）の折り返し（４５）をピン（２５）に取り付ける。
【００１７】  図２で示すように、台座（１）に掘られた溝（４）と同等の幅のブロックの下部に圧縮コイルバネ（１７）を逃がす為の溝（２９）を設けた勘合部（３０）を下に突出し、上部反対側に上部突出部（２７）を設け、マイクロメーターヘッド（５）の先端（３８）の外形と同等の大きさの硬質な材質で作られたピン（２８）を設けたアダプター（１３）を図３で示すように装着し、ノブボルト（７）でスライドブロック（６）を押し固定させる。この時のマイクロメーターヘッド（５）はデジタル表示形式が好ましい。
【００１８】  本発明を利用するときは、装置を強固な机などに置き、検査する傾斜測定器を測定振子（３）のピン（２３）に乗せガード（２４）に挟みこませ、固定バンド（２６）で巻いてリング（３７）をピン（２５）に引っ掛け固定させる。
マイクロメーターヘッド（５）を０に合わせ、照準ブロック（８）を正面に見て、ノブボルト（７）を回しスライドブロック（６）を左右移動させ、測定振子（３）を微妙に回転移動させて、図６で示すように、前側の目印（２１）と吊り下げ糸（１０）と後ろ側の目印（２２）が一直線に並ぶように調整する。吊り下げ糸（１０）は錘（１１）で垂直を指しているので以上の作業により測定振子（３）は垂直設定され、固定した傾斜測定器も垂直をなす。この時に傾斜測定器の垂直の気泡管（３９）を検査すれば良い。その後マイクロメーターヘッド（５）を各傾斜の数字に合わせその他の傾斜を示す気泡管（４０）を検査する。
【００１９】  釘の隙間ゲージの検査は、台座（１）にアダプター（１３）を取り付け、マイクロメーターヘッド（５）の先端がピン（２８）に当接するように合わせ、リセットしマイクロメーターヘッド（５）を０にあわせる。マイクロメーターヘッド（５）の先端（３８）といピン（２８）を開き隙間ゲージの測定部（４１）（４２）を挟み込み測定する。このようにして一般のマイクロメーター測定より簡単に各隙間ゲージの検査をすることができる。
【符号の説明】
【００２０】  １  台座
２  支柱
３  測定振子
４  溝
５  マイクロメーターヘッド
６  スライドブロック
７  ノブボルト
８  照準ブロック
９  穴
１０  吊り下げ糸
１１  錘
１２  磁石
１３  アダプター
１４  軸
１５  軸受け穴
１６  押え板
１７  圧縮コイルバネ
１８  吊り下げブロック
１９  ピン
２０  縦溝
２１  目印
２２  目印
２３  ピン
２４  ガード
２５  ピン
２６  固定バンド
２７  上部突出部
２８  ピン
２９  溝
３０  勘合部
３１  穴
３２  フランジ
３３  ネジ穴
３４  穴
３５  ネジ穴
３６  六角穴付き止めネジ
３７  リング
３８  先端
３９  気泡管
４０  気泡管
４１  測定部
４２  測定部
４３  上部突起部
４４  パチンコ台
４５  折り返し
【図１】
2015139693.tif 000003
【図２】
2015139693.tif 000004
【図３】
2015139693.tif 000005
【図４】
2015139693.tif 000006
【図５】
2015139693.tif 000007
【図６】
2015139693.tif 000008
【図７】
2015139693.tif 000009
【図８】
2015139693.tif 000010
【図９】
2015139693.tif 000011
【図１０】
2015139693.tif 000012